(57)【要約】【課題】各局間あるいは局内でデータ放送ＴＳのネット配信を行い、そのカルーセルの差し替えを任意に行えるようにする。【解決手段】ＴＳ受信装置１１，２１により、他局／自局配信ＴＳを受信し、モジュール復元装置１２，２２にて個々のモジュールのデータを復元し、カルーセル再構成装置１３，２３にてそれぞれ差し替えモジュールを復元されたモジュールの一部または全部と差し替えて、カルーセルを再構成する。一方、受信ＴＳからモジュール優先度を算出し、このモジュール優先度に基づいてカルーセルのモジュール配列を制御する。カルーセルが再構成されたＴＳをＴＳ多重装置１５で多重して、送出装置１９から送出する。これにより、受信ＴＳからモジュールを復元し、必要に応じてカルーセルを再構成することが可能となり、合わせて配信元が意識したモジュール優先度でのＴＳ配信が可能となる。【選択図】      図１
2005057344.tif 000002
【特許請求の範囲】
【請求項１】
複数のモジュールを組み合わせたカルーセルを含むデータ放送ＴＳ（Ｔｒａｎｓｐｏｒｔ  Ｓｔｒｅａｍ）を受信する受信装置と、
この装置で受信されたＴＳから前記モジュールを復元するモジュール復元装置と、
この装置で復元されたモジュールのうち一部または全部を差し替えて前記カルーセルを再構成するカルーセル再構成装置と、
この装置で再構成されたカルーセルをＴＳに変換する変換装置とを具備することを特徴とするデータ放送ＴＳ再構成装置。
【請求項２】
さらに、前記受信装置で受信されたＴＳから個々のモジュールの出現頻度を算出し、その算出結果から各モジュールのモジュール優先度を算出するモジュール優先度算出装置を備え、
前記カルーセル再構成装置は、前記モジュール優先度算出装置で得られたモジュール優先度に基づいて前記カルーセルの再構成を行うことを特徴とする請求項１記載のデータ放送ＴＳ再構成装置。
【請求項３】
さらに、前記受信装置で受信されたＴＳ内の時間管理情報を基準値に基づいて補正する時刻管理情報補正手段を備えることを特徴とする請求項１記載のデータ放送ＴＳ再構成装置。
【請求項４】
前記時刻管理情報補正手段は、前記データ放送ＴＳがＭＰＥＧ２システムズに準拠されているとき、前記ＴＳ内のＮＰＴ（Ｎｏｒｍａｌ  Ｐｌａｙ  Ｔｉｍｅ）及びＰＣＲ（Ｐｒｏｇｒａｍ  Ｃｌｏｃｋ  Ｒｅｆｅｒｅｎｃｅ）を基準とするＮＰＴ値及びＰＣＲ値に基づいて補正し、ＮＰＴ発火型イベントメッセージの発火時刻を前記基準ＮＰＴ値に補正することを特徴とする請求項３記載のデータ放送ＴＳ再構成装置。
【請求項５】
互いに独立して、複数のモジュールを組み合わせたカルーセルを含むデータ放送ＴＳ（Ｔｒａｎｓｐｏｒｔ  Ｓｔｒｅａｍ）を受信して前記カルーセルの再構成を行う複数のＴＳ再構成装置と、
前記複数のＴＳ再構成装置でそれぞれ再構成されたデータ放送ＴＳを多重する多重装置と、
この装置で多重されたデータ放送ＴＳを送出する送出装置とを具備し、
前記複数のＴＳ再構成装置それぞれは、
データ放送ＴＳ（Ｔｒａｎｓｐｏｒｔ  Ｓｔｒｅａｍ）を受信する受信装置と、
この装置で受信されたＴＳから前記モジュールを復元するモジュール復元装置と、
この装置で復元されたモジュールのうち一部または全部を差し替えて前記カルーセルを再構成するカルーセル再構成装置と、
この装置で再構成されたカルーセルをＴＳに変換する変換装置とを備えることを特徴とするデータ放送ＴＳ送出装置。
【請求項６】
前記複数のＴＳ再構成装置それぞれは、さらに、前記受信装置で受信されたＴＳから個々のモジュールの出現頻度を算出し、その算出結果から各モジュールのモジュール優先度を算出するモジュール優先度算出装置を備え、
前記カルーセル再構成装置は、前記モジュール優先度算出装置で得られたモジュール優先度に基づいて前記カルーセルの再構成を行うことを特徴とする請求項５記載のデータ放送ＴＳ送出装置。
【請求項７】
前記複数のＴＳ再構成装置それぞれは、さらに、前記受信装置で受信されたＴＳ内の時間管理情報を基準値に基づいて補正する時刻管理情報補正手段を備えることを特徴とする請求項５記載のデータ放送ＴＳ送出装置。
【請求項８】
前記時刻管理情報補正手段は、前記データ放送ＴＳがＭＰＥＧ２システムズに準拠されているとき、前記ＴＳ内のＮＰＴ（Ｎｏｒｍａｌ  Ｐｌａｙ  Ｔｉｍｅ）及びＰＣＲ（Ｐｒｏｇｒａｍ  Ｃｌｏｃｋ  Ｒｅｆｅｒｅｎｃｅ）を基準とするＮＰＴ値及びＰＣＲ値に基づいて補正し、ＮＰＴ発火型イベントメッセージの発火時刻を前記基準ＮＰＴ値に補正することを特徴とする請求項７記載のデータ放送ＴＳ送出装置。
【請求項９】
前記複数のＴＳ再構成装置の少なくともいずれかは、前記受信装置で受信されたデータ放送ＴＳを前記多重装置にスルーさせるスルー手段を備えることを特徴とする請求項５記載のデータ放送ＴＳ送出装置。
【請求項１０】
前記多重装置は、前記複数のＴＳ再構成装置から出力される再構成ＴＳとは別にデータ放送ＴＳを入力して前記再構成ＴＳに多重することを特徴とする請求項５記載のデータ放送ＴＳ送出装置。
【請求項１１】
複数のモジュールを組み合わせたカルーセルを含むデータ放送ＴＳ（Ｔｒａｎｓｐｏｒｔ  Ｓｔｒｅａｍ）を受信する受信ステップと、
このステップで受信されたＴＳから前記モジュールを復元するモジュール復元ステップと、
このステップで復元されたモジュールのうち一部または全部を差し替えて前記カルーセルを再構成するカルーセル再構成ステップと、
このステップで再構成されたカルーセルをＴＳに変換する変換ステップとを具備することを特徴とするデータ放送ＴＳ再構成方法。
【発明の詳細な説明】
【０００１】
【発明の属する技術分野】
本発明は、例えばデジタルテレビジョン放送の付加サービスとして提供されるデータ放送のＴＳ（以下、データ放送ＴＳと称する）を再構成し、送出するためのデータ放送ＴＳ再構成装置、データ放送ＴＳ送出装置及びデータ放送ＴＳ再構成方法に関する。
【０００２】
【従来の技術】
従来のＢＳ／ＣＳデジタル放送にあってはデータ放送サービスが提供されており、近時放送開始予定の地上波デジタル放送にあっても、同様のデータ放送サービスが予定されている。
一般に、データ放送では、例えば特許文献１に記載されているように、番組を構成する複数のコンポーネント（ＥＳ：Ｅｌｅｍｅｎｔａｒｙ  ｓｔｒｅａｍ）をセクションと呼ばれるデータに分割し、カルーセルという単位で繰り返し送出する。カルーセルはセクションデータの集まりである。受信装置では、このカルーセルを受信し、番組を構成する全てのコンポーネントを受信した時点で番組内容の表示が完成する。
【０００３】
コンポーネントは複数のモジュールから構成されており、送出時にはセクションデータに分割されて送出される。天気予報画面を例にとると、画面フレームを構成するＢＭＬ文書、日本地図を示すイメージファイル、天気マークを示すイメージファイル、気温等を示すテキストファイルがコンポーネントを構成するモジュールとなり、送出時にはさらにセクションデータに分割される。
【０００４】
ところで、地上波デジタル放送では、メインキー局からサブキー局へ、サブキー局からローカル局へコンテンツを配信して互いにコンテンツを共有化しておき、個々の局でデータ放送ＴＳを生成して送出する運用が行われることとなっている。しかしながら、この運用では、各局がそれぞれ共通コンテンツを含むデータ放送ＴＳを生成する必要があり、設備拡張の面で多大なコストがかかる。
そこで、キー局で生成されたＴＳをサブ局、ローカル局へ配信し、配信された局側で必要な情報の差し替えを行うようにして、設備拡張を最小限に止めることが提案されている。
【０００５】
【特許文献１】
特開２００１−３５９００１号公報。
【０００６】
【発明が解決しようとする課題】
以上述べたように、従来のデータ放送システムにおいて、例えば地上波デジタル放送の運用では、各局で共有コンテンツと個別コンテンツを用意して、個々にデータ放送ＴＳを生成し送出する運用が予定されており、設備拡張の面で多大なコスト増が問題視されている。
【０００７】
本発明は、上記の問題を解決するためになされたもので、各局間あるいは局内でデータ放送ＴＳのネット配信を行い、そのカルーセルの差し替えを任意に行うことができ、これによって個々の局の設備拡張を最小限に止めることが可能なデータ放送ＴＳ再構成装置及びその方法と、この装置を利用して局内外のデータ放送ＴＳを再構成しつつ多重送出可能なデータ放送ＴＳ送出装置を提供することを目的とする。
【０００８】
【課題を解決するための手段】
上記の目的を達成するために、本発明に係るデータ放送ＴＳ再構成装置及びその方法は、複数のモジュールを組み合わせたカルーセルを含むデータ放送ＴＳ（Ｔｒａｎｓｐｏｒｔ  Ｓｔｒｅａｍ）を受信する受信装置（ステップ）と、この装置（ステップ）で受信されたＴＳから前記モジュールを復元するモジュール復元装置（ステップ）と、この装置（ステップ）で復元されたモジュールのうち一部または全部を差し替えて前記カルーセルを再構成するカルーセル再構成装置（ステップ）と、この装置（ステップ）で再構成されたカルーセルをＴＳに変換する変換装置（ステップ）とを具備する構成とする。
【０００９】
上記構成によるデータ放送ＴＳ再構成装置及びその方法では、受信されたデータ放送ＴＳからいったんモジュールを復元し、復元されたモジュールの一部または全部を差し替えてカルーセルを再構成し、ＴＳに戻して送出するようにしているので、各局間でデータ放送ＴＳのネット配信を行い、そのカルーセルの差し替えを任意に行うことが可能となり、これによって個々の局の設備拡張を最小限に止めることができる。
【００１０】
また、本発明に係るデータ放送ＴＳ送出装置は、互いに独立して、複数のモジュールを組み合わせたカルーセルを含むデータ放送ＴＳ（Ｔｒａｎｓｐｏｒｔ  Ｓｔｒｅａｍ）を受信して前記カルーセルの再構成を行う複数のＴＳ再構成装置と、前記複数のＴＳ再構成装置でそれぞれ再構成されたデータ放送ＴＳを多重する多重装置と、この装置で多重されたデータ放送ＴＳを送出する送出装置とを具備し、前記複数のＴＳ再構成装置それぞれは、データ放送ＴＳ（Ｔｒａｎｓｐｏｒｔ  Ｓｔｒｅａｍ）を受信する受信装置と、この装置で受信されたＴＳから前記モジュールを復元するモジュール復元装置と、この装置で復元されたモジュールのうち一部または全部を差し替えて前記カルーセルを再構成するカルーセル再構成装置と、この装置で再構成されたカルーセルをＴＳに変換する変換装置とを備える構成とする。
上記構成によれば、互いに異なるデータ放送ＴＳを個別に再構成し、多重して送出することが可能となり、各局において柔軟な対応が可能となる。
【００１１】
【発明の実施の形態】
以下、図面を参照して本発明の実施の形態を詳細に説明する。
図１は本発明に係るデータ放送ＴＳ再構成装置を適用した送出装置の一実施形態を示すもので、ここでは２系統のデータ放送ＴＳを受信処理する場合の構成を示している。
【００１２】
図１において、第１、第２ＴＳ受信装置１１，２１は、それぞれ例えばキー局等の他局からネット配信されるデータ放送ＴＳ（以下、他局配信ＴＳ）、自局ネットワークにより配信されるデータ放送ＴＳ（以下、自局配信ＴＳ）を受信し、制御情報（例えば指定ＰＩＤ（パケット識別子）、タイミング信号等）により指定番組のセクションを抽出する。各受信装置１１，１２で得られたセクションは、それぞれ第１、第２モジュール復元装置１２，２２に送られて個々のモジュールのデータが復元された後、第１、第２カルーセル再構成装置１３，２３に送られる。
【００１３】
一方、第１、第２モジュール優先度算出装置１４，２４は、それぞれ第１、第２受信装置１１，２１からセクションを取り込み、各モジュールの出現頻度を算出して、その算出結果からモジュール優先度を算出する。各算出装置１４，２４で得られたモジュール優先度はそれぞれ第１、第２カルーセル再構成装置１３，２３に送られる。
【００１４】
上記第１、第２カルーセル再構成装置１３，２３は、それぞれ差し替えモジュールを取り込み、第１、第２モジュール復元装置１２，２２で復元されたモジュールの一部または全部と差し替えて、カルーセルを再構成した後、ＴＳに変換して送出する。このとき、モジュール優先度に基づいて、ＴＳ送信元の優先度を反映させる。各カルーセル再構成装置１３，２３でカルーセルが再構成されたＴＳはＴＳ多重装置１５に送られる。
【００１５】
また、ＮＰＴ誤差管理・補正装置１６は、第１、第２受信装置１１，２１から受信ＴＳを取り込み、他局配信ＴＳのＮＰＴ（Ｎｏｒｍａｌ  Ｐｌａｙ  Ｔｉｍｅ）、ＰＣＲ（Ｐｒｏｇｒａｍ  Ｃｌｏｃｋ  Ｒｅｆｅｒｅｎｃｅ）と自局配信ＴＳのＮＰＴ、ＰＣＲを管理し、内部ＳＴＣ（Ｓｙｓｔｅｍ  Ｔｉｍｅ  Ｃｌｏｃｋ）に基づいて、他局配信ＴＳ及び自局配信ＴＳ内に含まれるＮＰＴ発火型イベントメッセージの発火時刻を自局ＮＰＴ値基準に補正する。補正結果はＴＳ多重装置１５に送られる。
【００１６】
また、上記受信ＴＳに対してカルーセル差し替え処理が不要な場合には、スルー処理装置１７によりタイミング調整して、ＴＳのままＴＳ多重装置１６に送る。また、カルーセル生成装置１８では、新たに自局で作成したカルーセルをＴＳに変換してＴＳ多重装置１６に送る。
【００１７】
上記ＴＳ多重装置１６は、カルーセル再構成装置１３，２３、スルー処理装置１７及びカルーセル生成装置１８それぞれから送出されるＴＳを多重し、ＮＰＴ発火型イベントメッセージの発火時刻を補正値に差し替えて、データ放送送出用ＴＳを生成する。生成されたＴＳは送出装置１９により所定のローカル局あるいはサービスエリアに向けて送出される。
【００１８】
上記構成において、以下にその動作を説明する。
第１、第２ＴＳ受信装置１１，２１では、入力された自局／他局の配信ＴＳを受信し、それぞれＰＩＤ毎に管理を行ってデータ放送のカルーセルを構成するセクションを抽出する。抽出されたセクションは第１、第２モジュール復元装置１２，２２に送られ、順次モジュールのデータが復元されて第１、第２カルーセル再構成装置１３，２３に送られる。
【００１９】
一方、第１、第２モジュール優先度算出装置１４，２４では、それぞれ受信ＴＳのセクションから個々のモジュールの出現頻度を算出し、その算出結果からモジュール優先度を算出する。具体的には、ＴＳのＤＩＩ（Ｄｏｗｎｌｏａｄ  Ｉｎｆｏ  Ｉｎｄｉｃａｔｉｏｎ）に記載される全てのモジュールが揃うまでの間、送出されるセクションの連続出現回数をモジュール単位でカウントする。
【００２０】
図２を参照して、モジュール優先度算出方法について説明する。今、図２（ａ）に示すように３つのモジュール（モジュールＩＤ１〜３）で構成されるコンテンツのセクション数がそれぞれ７，１，２であり、１カルーセルが図２（ｂ）に示す順序で配列されているとする。ＴＳのＤＩＩには全てのモジュールのＩＤが記載されている。
【００２１】
そこで、モジュール優先度算出装置１４，２４では、ＤＩＩから得られたモジュールＩＤ毎にセクション数をカウントし、全てのモジュールが揃った時点でそれぞれの連続回数を求め、その比率からモジュール優先度を算出する。図２の例では、モジュールＩＤ０が２回、モジュールＩＤ１が１回、モジュールＩＤ２が１回連続して出現しているため、この場合のモジュール優先度は２：１：１となる。各受信系統の算出されたモジュール優先度は、対応するカルーセル再構成装置１３，２３に送られる。
【００２２】
カルーセル再構成装置１３，２３では、復元されたモジュールを必要に応じて差替え、算出されたモジュール優先度より並び順を入れ替えてカルーセルを再構成する。
一方、ＮＰＴ誤差管理・補正装置１６は、入力された自局・他局のＮＰＴ値、ＰＣＲ値を管理する。そして、受信ＴＳにＮＰＴ参照メッセージがあり、ＮＰＴ発火型イベントメッセージが存在する場合は、内部ＳＴＣに基づいて管理しているＮＰＴ値、ＰＣＲ値よりＮＰＴ発火時刻を再計算し、補正する。
【００２３】
図３及び図４を参照してＮＰＴ誤差管理・補正方法について説明する。図３はＮＰＴ時刻差分を求める様子を示し、図４はその処理の流れを示すフローチャートを示している。
図３に示すタイミングで自局／他局ＮＰＴパケットが受信された場合、（１）式が成立するので、（２）式からＮＰＴ時刻差分が得られる。
ＮＰＴ＿ｏｗｎ＿ｎｅｗ＝ＮＰＴ＿ｏｗｎ＋（Ｃｕｒ＿ＳＴＣ＿ｏｗｎ−Ｃｕｒ＿ＳＴＣ＿ｏｔｈｅｒ）  …（１）
ＮＰＴ時刻差分＝ＮＰＴ＿ｏｔｈｅｒ−ＮＰＴ＿ｏｗｎ＿ｎｅｗ                  …（２）
但し、
Ｃｕｒ＿ＳＴＣ＿ｏｗｎ：自局ＮＰＴパケット受信時の内部ＳＴＣカウント値
ＮＰＴ＿ｏｗｎ：自局ＮＰＴパケット受信時の自局ＮＰＴ値
Ｃｕｒ＿ＳＴＣ＿ｏｔｈｅｒ：他局ＮＰＴパケット受信時の内部ＳＴＣカウント値
ＮＰＴ＿ｏｔｈｅｒ：他局ＮＰＴパケット受信時の他局ＮＰＴ値
ＮＰＴ＿ｏｗｎ＿ｎｅｗ：他局ＮＰＴパケット受信時の自局ＮＰＴ値
以上の関係に基づいて、ＮＰＴ誤差管理・補正装置１６では、図４に示す処理手順によりＮＰＴ誤差を管理し補正する。
図４において、まず、自局ＮＰＴパケットの受信を判別し（ステップＳ１）、受信された場合には、自局ＮＰＴパケット受信時の内部ＳＴＣカウント値Ｃｕｒ＿ＳＴＣ＿ｏｗｎを保持すると共に（ステップＳ２）、自局ＮＰＴパケットに示される自局ＮＰＴ値ＮＰＴ＿ｏｗｎを保持する（ステップＳ３）。続いて、他局ＮＰＴパケットの受信を判別し（ステップＳ４）、受信された場合には、ＴＳ配信されたＮＰＴパケット受信時の内部ＳＴＣカウント値Ｃｕｒ＿ＳＴＣ＿ｏｔｈｅｒを保持すると共に（ステップＳ５）、ＴＳ配信されたＮＰＴパケットに示される他局ＮＰＴ値ＮＰＴ＿ｏｔｈｅｒを保持する（ステップＳ６）。
【００２４】
次に、ステップＳ２，Ｓ５で保持した内部ＳＴＣカウント値Ｃｕｒ＿ＳＴＣ＿ｏｗｎ，Ｃｕｒ＿ＳＴＣ＿ｏｔｈｅｒの差分を算出することで、自局ＮＰＴパケット受信から他局ＮＰＴパケット受信までの経過時間を求める（ステップＳ７）。次に、ステップＳ３で保持した自局ＮＰＴ値ＮＰＴ＿ｏｗｎにステップＳ７で求めた経過時間を加算して、他局ＮＰＴパケット受信時の自局ＮＰＴ値ＮＰＴ＿ｏｗｎ＿ｎｅｗを算出する（ステップＳ８）。次に、ステップＳ６で保持した他局ＮＰＴ値ＮＰＴ＿ｏｔｈｅｒからステップＳ８で算出した自局ＮＰＴ値ＮＰＴ＿ｏｗｎ＿ｎｅｗを減算することで、他局ＮＰＴ値ＮＰＴ＿ｏｔｈｅｒと自局ＮＰＴ値ＮＰＴ＿ｏｗｎ＿ｎｅｗとの差分を算出する（ステップＳ９）。最後に、ステップＳ９で算出した差分値と別途管理されているＰＣＲ値に基づいて、発火時刻を補正する（ステップＳ１０）。
【００２５】
一方、受信ＴＳに対してカルーセル再構成を行わない場合には、スルー処理装置１７によりＴＳのままＴＳ多重装置１５に送られる。また、カルーセル生成装置で１８は、上位システムより受信する編成情報、コンテンツ情報に従い、自局分カルーセルデータの生成を行う。ここで生成されたカルーセルデータはＴＳパケット化されてＴＳ多重装置１５に送られる。
【００２６】
ＴＳ多重装置１５では、カルーセル再構成装置１３，２３、スルー処理装置１７、カルーセル生成装置１８から送出されるＴＳデータを多重し、１本のデータ放送ＴＳとする。生成されたＴＳは送出装置１９により所定のローカル局あるいはサービスエリアに向けて送出される。
【００２７】
上記のような構成とすることにより、受信したＴＳからモジュールを復元し、必要に応じてカルーセルの再構成を実現することが可能となる。このとき、配信元が意識したモジュール優先度でのＴＳ配信が可能となる。カルーセル復元を行った後はデータを失うことなく、ビットレート変更に容易かつ柔軟に対応可能となる。
【００２８】
また、機能により装置を分けることも、統合することも可能である。１台で実施する場合は、ＴＳ受信／カルーセル差し替え／多重を行うことも可能である。この場合には、１装置の導入で、ＴＳ伝送時のＴＳ受信によるネット番組への対応、ネット番組の一部または全ての差し替え、自局データ放送の送出が可能となり、装置数を減らすことができ、省スペース・コスト削減を実現することができる。また、他局配信ＴＳと自局配信ＴＳを多重し、１本のＴＳとして送出するため、トータルビットレートでのレート管理、制限が容易に可能となる。これによりビットレートの破綻を防ぐことができると共に、与えられた帯域の有効利用が可能となる。
【００２９】
尚、本発明は上記実施形態に限定されるものではなく、種々の変更が可能である。例えば、上記実施形態では、ＴＳ受信系統を２系統としたが、さらに系統数を増加しても同様に実施可能である。また、必ずしも自局／他局を混在させる必要はなく、受信入力は限定されない。
【００３０】
【発明の効果】
以上述べたように本発明によれば、各局間あるいは局内でデータ放送ＴＳのネット配信を行い、そのカルーセルの差し替えを任意に行うことができ、これによって個々の局の設備拡張を最小限に止めることが可能なデータ放送ＴＳ再構成装置及びその方法と、この装置を利用して局内外のデータ放送ＴＳを再構成しつつ多重送出可能なデータ放送ＴＳ送出装置を提供することができる。
【図面の簡単な説明】
【図１】本発明に係る本発明に係るデータ放送ＴＳ再構成装置を適用した送出装置の一実施形態を示すブロック図。
【図２】上記実施形態で実施されるモジュール優先度算出方法を説明するための例を示す図。
【図３】上記実施形態で実施されるＮＰＴ時刻差分を求める様子を示す図。
【図４】上記実施形態で実施されるＮＰＴ誤差管理・補正方法の処理手順を示すフローチャート。
【符号の説明】
１１…第１ＴＳ受信装置，２１…第２ＴＳ受信装置、１２…第１モジュール復元装置、２２…第１、第２モジュール復元装置、１３…第１カルーセル再構成装置１３，２３…第２カルーセル再構成装置、１４…第１モジュール優先度算出装置、２４…第２モジュール優先度算出装置、１５…ＴＳ多重装置、１６…ＮＰＴ誤差管理・補正装置、１７…スルー処理装置、１８…カルーセル生成装置、１９…送出装置。
【図１】
2005057344.tif 000003
【図２】
2005057344.tif 000004
【図３】
2005057344.tif 000005
【図４】
2005057344.tif 000006